(57)【要約】【課題】コストを上昇させることなく、ハウジングに対して端子を適正な位置に保持すること。【解決手段】電気コネクタ１は、前後方向に延設されて前端及び後端が外部に開放された挿通孔１１と、前端と後端との間において挿通孔１１を外部に連通する連通孔１２と、フランジ部２３を前後から挟持してスリーブ２０を挿通孔１１に保持する挟持部１５と、を備える絶縁性のハウジング１０と、挿通孔１１に挿通されると共に、前後方向と交差する方向に突出するフランジ部２３を備え、後方側がケーブル１００の導電部に接続すると共に前方側が相手側コネクタと接続可能な導電性を有するスリーブ２０と、連通孔１２に取り付けられて挿通孔１１に挿通されるスリーブ２０に係合する絶縁性のリテーナー３０と、を有する。【選択図】図８
2020013730.tif 000002
【特許請求の範囲】
【請求項１】
前後方向に延設されて前端及び後端が外部に開放された挿通孔と、前記前端と前記後端との間において前記挿通孔を外部に連通する連通孔と、を備える絶縁性のハウジングと、
前記挿通孔に挿通され、後方側がケーブルの導電部に接続すると共に前方側が相手側コネクタと接続可能な導電性を有するスリーブと、
前記連通孔に取り付けられ、前記挿通孔に挿通される前記スリーブに係合する絶縁性のリテーナーと、
を有し、
前記スリーブは、
前後方向と交差する方向に突出するフランジ部を備え、
前記ハウジングは、
前記フランジ部を前後から挟持して前記スリーブを前記挿通孔に保持する挟持部を備える、
ことを特徴とする電気コネクタ。
【請求項２】
前記ハウジングは、
後方に延設される片持ちの形状の延設部を備え、
前記挟持部は、
前記延設部の後端に設けられる、
ことを特徴とする請求項１記載の電気コネクタ。
【請求項３】
前記ハウジングは、
前記リテーナーが取り付けられる取付部を備え、
前記挟持部は、
前記取付部に設けられて前記交差する方向に弾性変形可能であり、
前記リテーナーは、
前記取付部に対して着脱自在に取り付けられる、
ことを特徴とする請求項１又は請求項２記載の電気コネクタ。
【請求項４】
前記挟持部は、
前記フランジ部の前方への移動を規制する規制部を備える、
ことを特徴とする請求項１から請求項３のいずれかに記載の電気コネクタ。
【発明の詳細な説明】
【技術分野】
【０００１】
本発明は、ケーブルに接続する電気コネクタに関する。
【背景技術】
【０００２】
従来の電気コネクタにおいて、ケーブルに接続される端子をハウジングに固定する構成としては、ケーブルに接続された端子に設けた突起をハウジングの係合孔に係合して固定するものが知られている。このような構成を有する電気コネクタは、端子をケーブルに接続する前にハウジングにケーブルを挿通しておく必要があるため、製造工程が複雑化すると共に、ケーブルと端子との接続に不具合を生じた場合にはケーブル及び端子のみならずハウジングも廃棄することになるため、コストの上昇を招くという課題を有する。
【０００３】
これに対して、特許文献１は、端子４を一次係止する可撓性の係止ランス７を有するコネクタハウジング２と、端子と交差する方向からコネクタハウジング内に挿入され、端子を二次係止するスペーサ６と、を備え、係止ランス７とスペーサ６とが端子４の同一箇所を係止する電気コネクタを開示している。特許文献１の電気コネクタによれば、ケーブルと端子とを接続する前にケーブルをハウジングに挿通しておく必要がないため、製造工程の複雑化を防ぐことができると共に、端子とケーブルとの接続に不具合を生じた場合にハウジングを廃棄する必要をなくすることができる。
【先行技術文献】
【特許文献】
【０００４】
【特許文献１】特開２００１−０７６８００号公報
【発明の概要】
【発明が解決しようとする課題】
【０００５】
しかしながら、特許文献１においては、係止ランスは端子の後方への移動を規制してはいるものの端子の前方への移動を規制していないため、端子の前方への移動を規制する係止ランス以外の規制部をハウジングに別途設ける必要がある。また、特許文献１においては、このような規制部を設けない場合又は規制部を設けることができない場合には、端子が必要以上に前方に押し込まれてしまい、ハウジングに対する端子の挿入位置が適正ではなくなるという課題を有する。
【０００６】
本発明の目的は、コストを上昇させることなく、ハウジングに対してスリーブを適正な位置に保持することができる電気コネクタを提供することである。
【課題を解決するための手段】
【０００７】
本発明に係る電気コネクタは、前後方向に延設されて前端及び後端が外部に開放された挿通孔と、前記前端と前記後端との間において前記挿通孔を外部に連通する連通孔と、を備える絶縁性のハウジングと、前記挿通孔に挿通され、後方側がケーブルの導電部に接続すると共に前方側が相手側コネクタと接続可能な導電性を有するスリーブと、前記連通孔に取り付けられ、前記挿通孔に挿通される前記スリーブに係合する絶縁性のリテーナーと、を有し、前記スリーブは、前後方向と交差する方向に突出するフランジ部を備え、前記ハウジングは、前記フランジ部を前後から挟持して前記スリーブを前記挿通孔に保持する挟持部を備える。
【０００８】
フランジ部がハウジングの挟持部によって前方への移動を阻止されると共に後方への移動を阻止されることにより、スリーブがハウジングの適正な位置においてハウジングの挟持部によって前後方向への移動が規制される。
【発明の効果】
【０００９】
本発明によれば、コストを上昇させることなく、ハウジングに対してスリーブを適正な位置に保持することができる。
【図面の簡単な説明】
【００１０】
【図１】本発明の実施形態に係る電気コネクタの斜視図である。
【図２】図１のＡ−Ａ断面図である。
【図３】本発明の実施形態に係る電気コネクタの一部を構成するハウジングの側面図である。
【図４】図３のＢ−Ｂ断面図である。
【図５】図３のＣ−Ｃ断面図である。
【図６】本発明の実施形態に係る電気コネクタの一部を構成するスリーブの斜視図である。
【図７】本発明の実施形態に係る電気コネクタの一部を構成するスリーブの側面図である。
【図８】本発明の実施形態に係る電気コネクタの一部を構成するリテーナーの斜視図である。
【図９】本発明の実施形態に係る電気コネクタの一部を拡大した断面図である。
【図１０】本発明の実施形態に係る電気コネクタの一部を更に拡大した断面図である。
【発明を実施するための形態】
【００１１】
以下、図面を適宜参照して、本発明の実施形態に係る電気コネクタにつき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１２】
＜電気コネクタの構成＞
本発明の実施形態に係る電気コネクタ１の構成につき、図１から図１０を参照しながら、以下に詳細に説明する。
【００１３】
電気コネクタ１は、ハウジング１０と、スリーブ２０と、リテーナー３０と、を有している。電気コネクタ１は、例えば車載用の電気コネクタである。
【００１４】
ハウジング１０は、絶縁性を有する材料によって形成されており、挿通孔１１と、連通孔１２と、取付部１３と、延設部１４と、挟持部１５と、貫通孔１６と、を備えている。
【００１５】
挿通孔１１は、円筒状であり、前後方向に延設されて前端及び後端が外部に開放されている。挿通孔１１は、電気コネクタ１に接続されるケーブル１００の数と同じ数だけ設けられている。
【００１６】
連通孔１２は、左右方向に延設されていると共に、挿通孔１１の前端と後端との間において挿通孔１１を取付部１３において外部に連通している。連通孔１２は、ハウジング１０の側壁に設けられている。
【００１７】
取付部１３は、ハウジング１０の側壁に凹設されている。
【００１８】
延設部１４は、ハウジング１０の側壁に設けられており、取付部１３の前端から後方に延設されて片持ちの形状になっている。延設部１４は、前端を支点として左右方向に弾性変形可能になっている。
【００１９】
挟持部１５は、延設部１４の後端に設けられていると共に、後述のフランジ部２３を挟持している。挟持部１５は、規制部である前方係止部１５１と、後方係止部１５２と、を備えている。
【００２０】
前方係止部１５１は、内部側方に突出しており、図１０に示すように、前後方向に直交すると共にフランジ部２３の前面２３ａに対向する後面１５１ａを備えている。
【００２１】
後方係止部１５２は、内部側方に突出しており、図１０に示すように、前後方向に直交する前面１５２ａと、前方から後方に向けて外方に傾斜すると共に前後方向と交差する傾斜面１５２ｂと、を備えており、前面１５２ａがフランジ部２３の後面２３ｂに対向するように設けられている。
【００２２】
貫通孔１６は、図５に示すように、上下方向に延設されていると共に、連通孔１２をハウジング１０の上面又は下面において外部に連通している。
【００２３】
スリーブ２０は、導電性を有する材料によって形成されており、円筒状であると共に挿通孔１１に挿通されている。スリーブ２０は、ケーブル１００の図示しない導電部と図示しない相手側コネクタの相手側導電部とを接続する。スリーブ２０は、後方接続部２１と、前方接続部２２と、フランジ部２３と、突出部２４と、突出部２５と、を備えている。
【００２４】
後方接続部２１は、スリーブ２０の後方側に設けられており、ケーブル１００の図示しない導電部に接続している。
【００２５】
前方接続部２２は、スリーブ２０の前方側に設けられており、図示しない相手側コネクタの相手側導電部と接続可能になっている。前方接続部２２は、前端が挿通孔１１の前端よりも若干後方に位置している。
【００２６】
フランジ部２３は、前後方向に直交する方向（ｘ−ｚ平面に平行な方向）に突出していると共に、挟持部１５によって前後が挟持されている。なお、フランジ部２３は、前後方向に直交する方向に突出するように形成される場合に限らず、挟持部１５によって挟持することが可能なように前後方向に交差する方向に突出していればよい。
【００２７】
フランジ部２３は、図１０に示すように、前面２３ａが挟持部１５の前方係止部１５１の後面１５１ａに対向すると共に、後面２３ｂが挟持部１５の後方係止部１５２の前面１５２ａに対向している。
【００２８】
突出部２４は、フランジ部２３の後方においてフランジ部２３との間に所定の間隔を有して設けられており、前後方向に直交する方向に突出している。なお、突出部２４は、前後方向に直交する方向に突出するように形成される場合に限らず、前後方向に交差する方向に突出していればよい。
【００２９】
突出部２５は、突出部２４の後方において突出部２４との間に所定の間隔を有して設けられており、前後方向に直交する方向に突出している。なお、突出部２５は、前後方向に直交する方向に突出するように形成される場合に限らず、前後方向に交差する方向に突出していればよい。
【００３０】
リテーナー３０は、絶縁性を有する材料によって形成されており、連通孔１２に取り付けられて挿通孔１１に挿通されているスリーブ２０に係合している。リテーナー３０は、弾性部３１と、本体部３２と、ボス３３と、を備えている。
【００３１】
弾性部３１は、本体部３２から内部側方に延設された後に外部側方に折り返されて延設されることによりＵ字状になっている。弾性部３１は、連通孔１２に設けられると共に、図２に示すように、突出部２４と突出部２５との間に設けられてスリーブ２０を挿通孔１１に保持する。弾性部３１は、ハウジング１０の貫通孔１６に係合する係合突起３１１を備えている。弾性部３１は、Ｕ字状に折り返した先端が取付部１３において外部に露出している。
【００３２】
本体部３２は、板状であると共に取付部１３に取り付けられている。本体部３２は、延設部１４を覆っている。
【００３３】
ボス３３は、本体部３２の前方側の上面及び下面から突出して、取付部１３の内壁に圧入されている。
【００３４】
＜電気コネクタの製造方法＞
本発明の実施形態に係る電気コネクタ１の製造方法につき、以下に詳細に説明する。
【００３５】
まず、スリーブ２０の後方接続部２１に対してケーブル１００の導電部を加締め等によって接続する。
【００３６】
次に、ケーブル１００を接続したスリーブ２０を、前方接続部２２を先頭にしてハウジング１０の挿通孔１１に後方から挿入する。
【００３７】
この際に、ハウジング１０の延設部１４は、後方係止部１５２の傾斜面１５２ｂがスリーブ２０のフランジ部２３によって外部側方に押圧されることにより外部側方に弾性変形する。そして、フランジ部２３が後方係止部１５２を通過した際に、延設部１４の弾性復帰力により延設部１４が弾性変形前の状態に復帰して、規制部である前方係止部１５１と後方係止部１５２とでフランジ部２３を挟持する状態になる。
【００３８】
これにより、スリーブ２０は、前後方向に移動しようとした際に、フランジ部２３の前面２３ａが前方係止部１５１の後面１５１ａに当接して前方への移動が規制されると共に、フランジ部２３の後面２３ｂが後方係止部１５２の前面１５２ａに当接して後方への移動が規制される。従って、スリーブ２０は、ハウジング１０に保持されると共に、必要以上に前方に押圧されることがないため、ハウジング１０に対する組み立て位置の不具合を抑制することができ、相手側コネクタの相手側導電部と安定して接続することができる。
【００３９】
次に、リテーナー３０をハウシング１０の取付部１３に取り付けると共に、リテーナー３０の弾性部３１を連通孔１２に挿通する。
【００４０】
この際に、弾性部３１は、係合突起３１１が連通孔１２の内壁によって押圧されることにより弾性変形する。そして、係合突起３１１が貫通孔１６の位置に到達した際に、係合突起３１１が貫通孔１６に係合して弾性部３１の弾性復帰力により弾性部３１が弾性変形前の状態に復帰すると共に、ボス３３がハウジングの取付部１３の内壁に圧入されることにより、リテーナー３０がハウジング１０の取付部１３に取り付けられる。また、弾性部３１は挿通孔１１に突出して、挿通孔１１に挿通されているスリーブ２０の突出部２４と突出部２５との間に係合することにより、リテーナー３０によってスリーブ２０をハウジング１０に固定する。これにより、電気コネクタ１が完成する。
【００４１】
上記の製造方法により製造した電気コネクタ１において、接続するケーブル１００を間違えたり破損等したことによりケーブル１００を交換する場合には、ハウジング１０の取付部１３から外部に露出しているリテーナー３０の弾性部３１の先端を、本体部３２側に弾性変形させることにより、係合突起３１１と貫通孔１６との係合を解除する。そして、この解除した状態でリテーナー３０を外部側方に引っ張ることにより、スリーブ２０のフランジ部２３と突出部２４との間から弾性部３１が引き抜かれ、取付部１３からリテーナー３０を取り外すことができる。これにより、取付部１３において延設部１４が外部に露出した状態になる。
【００４２】
更に、延設部１４を外部側方に弾性変形させることにより、挟持部１５によってフランジ部２３を挟持する状態を解除する。そして、この状態を維持しながらケーブル１００を後方に引っ張って挿通孔１１から後方に引き抜くことにより、ケーブル１００を交換することができる。
【００４３】
これにより、ケーブル１００を容易に交換することができるため、電気コネクタ１を再利用することができ、コストを低減することができる。また、電気コネクタ１に接続される複数のケーブル１００の各々が異なる用途に使用される場合において、ケーブル１００を間違った挿通孔１１に挿通してしまった場合に、ケーブル１００を正しい挿通孔１１に容易に挿通し直すことができる。
【００４４】
このように、本実施形態によれば、スリーブ２０の前後方向と交差する方向に突出するフランジ部２３を、ハウジング１０の挟持部１５によって前後から挟持してスリーブ２０をハウジング１０の挿通孔１１に保持することにより、コストを上昇させることなく、ハウジング１０に対してスリーブ２０を適正な位置に保持することができる。
【００４５】
また、本実施形態によれば、後方に延設される片持ちの形状の延設部１４の後端に挟持部１５を備えることにより、スリーブ２０の前方側の前方接続部２２に相手側コネクタが接続する構成のためにスリーブ２０の前方側にフランジ部を形成できない電気コネクタ１において、フランジ部２３よりも後方に前方へ延設する延設部を設けて、この延設部の前端にフランジ部２３を挟持する挟持部を形成する場合に比べて、全体を小型化することができる。
【００４６】
また、本実施形態によれば、挿通孔１１の内壁の前方側においてスリーブ２０の前方への移動を規制する規制部を形成できない構成を有する電気コネクタ１であっても、挿通孔１１におけるスリーブ２０の前方への移動を挟持部１５で規制することができる。
【００４７】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００４８】
具体的には、上記実施形態において、電気コネクタ１に４本のケーブル１００を接続したが、接続するケーブル１００の本数と同じ数の挿通孔１１を設けることにより、４本以外の任意の数のケーブル１００を接続することができる。
【産業上の利用可能性】
【００４９】
本発明は、ケーブルに接続する電気コネクタに好適である。
【符号の説明】
【００５０】
１  電気コネクタ
１０  ハウジング
１１  挿通孔
１２  連通孔
１３  取付部
１４  延設部
１５  挟持部
１６  貫通孔
２０  スリーブ
２１  後方接続部
２２  前方接続部
２３  フランジ部
２３ａ  前面
２３ｂ  後面
２４  突出部
２５  突出部
３０  リテーナー
３１  弾性部
３２  本体部
３３  ボス
１００  ケーブル
１５１  前方係止部（規制部）
１５１ａ  後面
１５２  後方係止部
１５２ａ  前面
１５２ｂ  傾斜面
３１１  係合突起
【図１】
2020013730.tif 000003
【図２】
2020013730.tif 000004
【図３】
2020013730.tif 000005
【図４】
2020013730.tif 000006
【図５】
2020013730.tif 000007
【図６】
2020013730.tif 000008
【図７】
2020013730.tif 000009
【図８】
2020013730.tif 000010
【図９】
2020013730.tif 000011
【図１０】
2020013730.tif 000012
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
前後方向に延設されて前端及び後端が外部に開放された挿通孔と、前記前端と前記後端との間において前記挿通孔を外部に連通する連通孔と、を備える絶縁性のハウジングと、
前記挿通孔に挿通され、後方側がケーブルの導電部に接続すると共に前方側が相手側コネクタと接続可能な導電性を有するスリーブと、
前記連通孔に取り付けられ、前記挿通孔に挿通される前記スリーブに係合する絶縁性のリテーナーと、
を有し、
前記スリーブは、
前後方向と交差する方向に突出するフランジ部を備え、
前記ハウジングは、
前記交差する方向に弾性変形可能であると共に、前記フランジ部を前後から挟持して前記スリーブを前記挿通孔に保持する挟持部を備え、
前記リテーナーは、
前記スリーブを前記挿通孔に挿通した際に、前記挟持部が前記交差する方向に弾性変形する位置に設けられる、
ことを特徴とする電気コネクタ。
【請求項２】
前記ハウジングは、
後方に延設される片持ちの形状の延設部を備え、
前記挟持部は、
前記延設部の後端に設けられる、
ことを特徴とする請求項１記載の電気コネクタ。
【請求項３】
前記ハウジングは、
前記リテーナーが取り付けられる取付部を備え、
前記挟持部は、
前記取付部に設けられ、
前記リテーナーは、
前記取付部に対して着脱自在に取り付けられることにより前記弾性変形する位置に設けられる、
ことを特徴とする請求項１又は請求項２記載の電気コネクタ。
【請求項４】
前記挟持部は、
前記フランジ部の前方への移動を規制する規制部を備える、
ことを特徴とする請求項１から請求項３のいずれかに記載の電気コネクタ。
【手続補正２】
【補正対象書類名】明細書
【補正対象項目名】０００７
【補正方法】変更
【補正の内容】
【０００７】
本発明に係る電気コネクタは、前後方向に延設されて前端及び後端が外部に開放された挿通孔と、前記前端と前記後端との間において前記挿通孔を外部に連通する連通孔と、を備える絶縁性のハウジングと、前記挿通孔に挿通され、後方側がケーブルの導電部に接続すると共に前方側が相手側コネクタと接続可能な導電性を有するスリーブと、前記連通孔に取り付けられ、前記挿通孔に挿通される前記スリーブに係合する絶縁性のリテーナーと、を有し、前記スリーブは、前後方向と交差する方向に突出するフランジ部を備え、前記ハウジングは、前記交差する方向に弾性変形可能であると共に、前記フランジ部を前後から挟持して前記スリーブを前記挿通孔に保持する挟持部を備え、前記リテーナーは、前記スリーブを前記挿通孔に挿通した際に、前記挟持部が前記交差する方向に弾性変形する位置に設けられる。